(57)【要約】【課題】複数の部品からなるＣＡＤ図面を表示する場合に、部品を他のＣＡＤ図面に表示した場合の配置位置を確実に確認することができるＣＡＤ図面の表示方法を提供する。【解決手段】基板設計ＣＡＤは、読込んだ部品リストに基づいて実装図を表示する場合は、部品１４の添字が他の部品の添字と重なるかを判断し、重ならない場合は通常表示し、重なる場合はポップアップ表示により部品のリファレンス１５のみを表示すると共に、部品１４が指示されたときは当該部品１４のデータの全てをポップアップ表示する。【選択図】図１
2008310573.tif 000002
【特許請求の範囲】
【請求項１】
コンピュータ上で動作するＣＡＤが、所定のＣＡＤ図面に複数の部品を表示する場合に、読込んだ情報に基づいて前記部品に割り付けられたリファレンス、及び前記部品を異なる種別のＣＡＤ図面に表示する場合における前記部品の配置位置を示す文字・記号情報を、前記部品の添字として表示するＣＡＤ図面の表示方法であって、
前記ＣＡＤは、前記ＣＡＤ図面を表示する場合に、前記添字が他の部品の前記添字の表示と干渉しない場合は通常表示として前記リファレンス及び前記文字・記号情報を表示し、干渉する場合はポップアップ表示として前記リファレンスのみ表示すると共に前記部品が指示されたときは前記文字・記号情報の全てをポップアップ表示することを特徴とするＣＡＤ図面の表示方法。
【請求項２】
前記ＣＡＤは、回路設計ＣＡＤから出力された決められたフォーマットの部品リストを前記文字・記号情報として読込む基板設計ＣＡＤであり、
前記基板設計ＣＡＤは、実装図として前記ＣＡＤ図面を表示することを特徴とする請求項１記載のＣＡＤ図面の表示方法。
【請求項３】
前記基板設計ＣＡＤは、前記実装図において表示の拡大縮小を行った際に前記文字・記号情報を拡大縮小の対象から除外した状態で干渉の有無を再判定し、再判定によって前記部品同士の前記文字・記号情報が干渉しなくなった場合は前記通常表示として表示することを特徴とする請求項２記載のＣＡＤ図面の表示方法。
【請求項４】
前記基板設計ＣＡＤは、前記実装図を表示する場合は、前記通常表示と前記ポップアップ表示とを切替える切替手段を具備し、当該切替手段が操作されるのに応じて表示を切替えることを特徴とする請求項２または３記載のＣＡＤ図面の表示方法。
【請求項５】
前記ＣＡＤは、基板設計ＣＡＤから出力された決められたフォーマットのマウントデータを前記文字・記号情報として読込む回路設計ＣＡＤであり、
前記回路設計ＣＡＤは、回路図として前記ＣＡＤ図面を表示することを特徴とする請求項１記載のＣＡＤ図面の表示方法。
【請求項６】
前記回路設計ＣＡＤは、前記回路図において表示の拡大縮小を行った際に前記文字・記号情報を拡大縮小の対象から除外した状態で干渉の有無を再判定し、再判定によって前記部品同士の前記文字・記号情報が干渉しなくなった場合は前記通常表示として表示することを特徴とする請求項５記載のＣＡＤ図面の表示方法。
【請求項７】
前記回路設計ＣＡＤは、前記回路図を表示する場合は、前記通常表示と前記ポップアップ表示とを切替える切替手段を具備し、当該切替手段が操作されるのに応じて表示を切替えることを特徴とする請求項５または６記載のＣＡＤ図面の表示方法。
【発明の詳細な説明】
【技術分野】
【０００１】
本発明は、所定のＣＡＤ図面に複数の部品を表示する場合に、設計ＣＡＤの情報と読込んだ情報に基づいて部品に関するリファレンス及び文字・記号情報を部品の添字として表示するＣＡＤ図面の表示方法に関する。
【背景技術】
【０００２】
プリント配線基板を用いた電子機器においては、小形化が求められ、それに伴い部品を実装するプリント配線基板の大きさも制限を受け、部品を表すリファレンス等のシルク印刷の省略、簡略化、部品実装の高密度化、部品の小形化、シルク印刷の密集などの理由により、部品実装後の配置位置の把握が困難になりつつあり、デバッグ作業や改修作業等、回路図を参照しての作業時に非常に時間がかかっていた。
【特許文献１】特開２００６−２９４９２６号公報
【特許文献２】特開２００６−３０３２４２号公報
【発明の開示】
【発明が解決しようとする課題】
【０００３】
このような課題を解決するために、高密度実装基板、シルクレス（一部リファレンスレスを含む）基板の部品の配置位置確認用として部品外形シルク、リファレンスのみを表示した実装図を利用したりしているが、膨大な数の部品の中から目的の部品を探す点は変らないため、非常に時間がかかる。
【０００４】
部品を探す目的としては、回路の機能確認や改修作業時は回路図上で検討し、実基板上で目的の部品を探す場合と、実際に使用していて問題が発生した場合や部品の故障、実装上の問題が発生した際に、回路上のどの部分に影響を及ぼすかを調べる場合がある。つまり、回路図上の部品が実基板上のどこに実装されているか知りたい場合と、実装されている部品が回路図上のどこで使用されているか知りたい場合とがある。
【０００５】
そこで、特許文献１のものは、回路図の部品番号末尾に実装エリアのＸＹ符号を付与した回路図を作成し、実装部品の位置情報を回路図に表示するようにしている。また、特許文献２のものは、実装部品の位置情報を回路図に表示するもので、回路図上の部品表示位置を基板上のリファレンス周辺に表示するようにしている。
【０００６】
しかしながら、特許文献１のものでは、回路図上から基板上の部品位置が分るという対応のみなので、基板上から回路図上のどこに使われている部品化を知ることはできない。
また、特許文献２のものでは、基板の部品実装の高密度化、部品の小型化によって、部品の判別が非常に大変になったために考えられた案であるのに対して、基板上にこれ以上の情報を表示するというのは現実的ではない。つまり、リファレンスですら表示するのが困難であるのが現状であり、実施することができない解決策である。
【０００７】
このような課題に対して、例えば基板設計ＣＡＤで実装基板を表示した際に、部品のリファレンス、及び部品を回路設計ＣＡＤに表示した場合における部品の配置位置を部品の添字として表示すればよいものの、部品が密集している場合には、添字が別部品の添字と重なり合ってしまい、部品の配置位置を確認できないという問題を生じる。
【０００８】
本発明は上記事情に鑑みてなされたもので、その目的は、複数の部品からなるＣＡＤ図面を表示する場合に、部品を他のＣＡＤ図面に表示した場合の配置位置を確実に確認することができるＣＡＤ図面の表示方法を提供することにある。
【課題を解決するための手段】
【０００９】
請求項１の発明によれば、複数の部品からなるＣＡＤ図面を表示する場合に、部品同士の添字が干渉しない場合は、読込んだ情報に基づいて部品に割り付けられたリファレンス、及び部品を他のＣＡＤ図面に表示する場合の部品の配置位置を示す文字・記号情報を部品の添字として表示するので、部品が他のＣＡＤ図面のどこに使用されているかを確認することができる。この場合、部品同士の文字・記号情報が干渉する場合は、リファレンスのみを表示するので、ＣＡＤ図面が見辛くなってしまうことはない。また、部品を指示すると、部品の配置位置を示す文字・記号情報がポップアップ表示されるので、その表示により他のＣＡＤ図面における部品の配置位置を知ることができる。
【００１０】
請求項２の発明によれば、部品の故障、不具合や実装上の問題などが発生した場合は、基板設計ＣＡＤにより実装図を見るだけで、目的の部品が回路図上のどの位置にあるか把握できるため、回路図上の部品位置を容易に探すことができ、部品が動作にどのような影響を与えるかを確認することができる。
【００１１】
請求項３の発明によれば、実装図の表示の拡大縮小を行った際も部品の添字が干渉することによる影響を回避することができる。
請求項４の発明によれば、任意に表示を切替えることができるので、使用勝手に優れている。
【００１２】
請求項５の発明によれば、部品実装密度の高いプリント配線基板やシルクレス基板や一部リファレンスシルクが入れられないため、省略している基板に対しても、回路設計者や実験、調査、計測を行なう人が、回路図を見るだけで、目的の部品がプリント配線基板上のどの位置にあるか把握できるため、実装部品位置を容易に探すことができる。
【００１３】
請求項６の発明によれば、回路図の表示の拡大縮小を行った際も部品の添字が干渉することによる影響を回避することができる。
請求項７の発明によれば、任意に表示を切替えることができるので、使用勝手に優れている。
【発明を実施するための最良の形態】
【００１４】
以下、本発明の一実施例について図面を参照して説明する。
図２は、実装基板が完成するまでの工程を概略的に示している。この図２に示すように、設計工程、製造工程、実装工程を順に実行することにより実装基板を完成するようになっている。設計工程では、コンピュータ１上で動作する回路設計ＣＡＤ（Computer  Aided  Design)により回路図を作成する。この回路設計ＣＡＤは、オペレータが回路設計を行うことを補助するためのＣＡＤで、回路図の入力が終了したときは、汎用のデータフォーマットの回路図、ネットリスト、部品リストなどの各種データを記憶媒体に記憶したり、通信回線で外部へ出力可能となっている。
【００１５】
さらに、設計工程では、コンピュータ２上で動作する基板設計ＣＡＤによりプリント配線基板の配置配線を行う。この基板設計ＣＡＤは、回路設計ＣＡＤが出力したデータを記憶媒体から読込んだり、通信回線で受信可能となっており、読込んだデータに基づいて実装基板上に部品を配置し、手動配線または一部自動配線により実装基板にパターンを形成可能となっている。基板設計ＣＡＤは、実装図の作成が終了したときは、プリント配線基板を作成する際に必要となるフォトデータ（フィルム作画用データ）及びマウントデータ（座標データ）を出力する。
【００１６】
回路設計ＣＡＤと基板設計ＣＡＤとは同一のコンピュータ上で動作する場合もあるが、回路設計と基板設計が異なる工場、或いは異なる場所で作業される場合は、回路設計ＣＡＤが動作するコンピュータと基板設計ＣＡＤとが動作するコンピュータ２とは異なる。本実施例では、回路設計ＣＡＤ及び基板設計ＣＡＤによりＣＡＤシステムが構成されている。
【００１７】
基板製造工場では、基板設計ＣＡＤが作成したフォトデータに基づいて製造データを編集してプリント配線基板を製造する。
部品実装工場では、基板製造工場が製作したプリント配線基板に、基板設計ＣＡＤが出力したマウントデータに基づいて部品を実装することにより実装基板を製造する。
【００１８】
図３は、プリント配線基板を製造する場合のデータの流れを示したものである。この図３において、回路設計ＣＡＤ３は、回路設計が終了したときは、回路図４、ネットリスト５、部品リスト６を作成して出力する。
回路設計ＣＡＤ３は、シミュレータ、ネットリスト（結線情報）の生成プログラム、マッピングプログラム、回路最適化プログラム、セルライブラリ、回路図作成プログラムなどが統合されて構成されている。このうち回路図作成プログラム（回路図エディタ）は、階層構造を有する回路図面（階層図面）を生成するものである。
【００１９】
各階層図面における部品（トランジスタ、ダイオード、抵抗、コンデンサ、コンパレータ、ＩＣ、回路ブロック等の回路要素）を示すシンボルの座標は、シンボル情報として別のファイルとされている。このシンボル情報には、各階層図面の用紙の面積座標も含まれている。シンボル情報と描画データについては、必要となった時点で回路図作成プログラムを呼び出して生成させている。
【００２０】
回路設計ＣＡＤ３は、階層情報、シンボル情報および描画データからなる図面データに基づいて階層図面表示データを生成して出力するようになっている。
図４は、回路設計ＣＡＤ３が生成した階層図面表示データをディスプレイ（表示手段）上に出力したときの画面表示の一例を示している。この図４に示すように、回路図４には、単一素子であるＩＣ、ダイオード、抵抗、コンデンサの各部品８がシンボルで表示されている。これらの単一素子は、図示しない回路ブロックを展開することにより回路図上に表示されている。この場合、部品８には、関連情報であるリファレンス９及び配置情報（添字、文字・記号情報に相当）１０が添字として表示される。
【００２１】
回路図４は、複数の階層図面から構成されており、回路設計ＣＡＤ３に対する操作により下層の回路図を表示可能となっている。つまり、回路設計ＣＡＤ３は、階層情報に基づいて、各階層図面において一つの回路要素として表示される機能回路ブロックと当該機能回路ブロックを展開した下位の階層図面との関連付けを抽出し、階層図面の階層構造データ（しおり）を生成することにより図４に示す階層構造の回路図４を表示可能となっている。
【００２２】
所望の図面を閲覧する場合には、図示しない上位回路図において所望の機能回路ブロックにポインタを置いてクリックすると、下層の回路図４が画面表示される。また、下層の回路図４においては図示しない「ｂａｃｋ」ボタンをクリックすれば、上位回路図の画面表示に戻ることができる。全体表示では細部の情報を確認できない場合には、後述する拡大機能を利用して細部の情報を確認できると共に、階層構造は、「しおり」欄により確認することができる。また、印刷機能を用いて、所望の図面を印刷可能となっている。
【００２３】
オペレータは、回路設計ＣＡＤ３により回路設計が終了したときは、各種データを記憶媒体に記憶したり、通信回線で基板設計工場へ出力したりする。
図３に戻って、基板設計ＣＡＤ１１は、回路設計ＣＡＤ３と同様に複数のプログラムが連携して動作するようになっており、回路設計ＣＡＤ３から出力された各種データ、及び独立した管理部品配置情報７に基づいてプリント配線基板の配置配線を行う。オペレータは、回路設計ＣＡＤ３によりプリント配線基板の配置配線を行う場合は、基板の情報を入力する。この基板は、表面及び裏面を任意に表示可能であると共に、任意の箇所を拡大縮小表示が可能となっている。オペレータが、基板の表面または裏面を表示した状態で所望の部品を選択して任意の箇所をクリックすると、基板設計ＣＡＤ１１は、部品ファイルから選択された部品に対応した外形図を実装図１２に表示する。このとき、表示される部品は、部品ファイルに登録された初期状態で表示されるので、所望に応じて部品を回転したり、移動したりしてプリント配線基板の配置配線を行う。
尚、部品ファイルに部品が存在しない場合は、オペレータは、部品の外形を部品ファイルに登録可能となっている。
【００２４】
図５は、基板設計ＣＡＤ１１が表示する実装図１２の一例を示している。この図５において、実装図１２には、プリント配線基板１３上に部品１４の外形図が表示されている。この場合、部品１４には、関連情報であるリファレンス（添字に相当）１５が表示されている。従って、オペレータは、部品１４の名称を確認しながら当該部品１４の配置を行うことができる。部品１４の配置が終了したときは、基板設計ＣＡＤ１１に対してパターンの手動配線または一部自動配線を行う。
【００２５】
基板設計ＣＡＤ１１は、手動配線または一部自動配線が行われたときは、回路設計ＣＡＤ３から入力したネットリスト５に基づいて各部品１４の端子を接続するパターンを生成する。この手動配線または一部自動配線としては、プリント配線基板の内層にもパターンを生成するのに加えて、異なる層のパターン同士を接続するスルーホールを生成する。手動配線または一部自動配線の結果、配線不能な部品が存在していた場合は、オペレータは、部品の配置を変更したり、ジャンパ線を設定したりすることにより設計変更を行い、手動配線または一部自動配線を再度行う。
【００２６】
オペレータは、基板設計ＣＡＤ１１によりプリント配線基板１３への部品の実装及び手動配線または一部自動配線が終了したときは、フォトデータ１７及びマウントデータ１８を記憶媒体に記憶したり、通信回線で基板製造工場及び部品実装工場へ出力したりする。フォトデータ１７は、例えば汎用のＧＥＲＢＥＲフォーマットというデータ形式で作成されている。マウントデータ１８は、プリント配線基板に部品を実装する部品実装工場のフォーマットで作成されている。
以上のように回路設計ＣＡＤ３及び基板設計ＣＡＤ１１を利用して、実装基板を製造するのに必要なデータを作成することができる。
【００２７】
また、製品を出荷した後に、実際に使用していて問題が発生した場合や部品の故障、実装上の問題が発生した際に、回路上のどの部分に影響を及ぼすかを調べる場合がある。つまり、実装されている部品が回路図４上のどこで使用されているか知りたい場合がある。
このような場合、オペレータは、基板設計ＣＡＤ１１に回路設計ＣＡＤ３から出力された部品リスト６を読込む。
【００２８】
図６は、部品リスト６の一例を示している。この図６において、部品リスト６は、「ＮＯ．」に対応して、「Ｒｅｆ」（参照）、「Ｐａｒｔ」(部品)、「Ｐａｇｅ」（頁）、「Ａｄｄｒｅｓｓ」（配置座標）から構成されている。「Ｒｅｆ」とは部品に付けられた呼称、「Ｐａｒｔ」とは部品の実際の名称、「Ｐａｇｅ」とは図４に示す回路図４の頁、「Ａｄｄｒｅｓｓ」とは図４に示す回路図４の部品配置座標である。
【００２９】
さて、基板設計ＣＡＤ１１は、実装基板を検証するために実基板１２を表示する場合は、読込んだ部品リスト６を構成するリファレンス１５に加えて、回路図４上の表示ページ及び座標などを示す配置情報１０を添字として表示する。このとき、基板設計ＣＡＤ１１は、部品１４を表示するのに先立って部品１４同士の添字が干渉するかを判断し、干渉しない場合はそのまま表示する。これに対して、部品１４同士の添字が干渉する場合は、部品の添字としてリファレンス１５のみを表示する。これにより、部品同士の添字を干渉することなく表示することができる。また、添字が干渉する部品１４にカーソルが置かれた場合は、当該部品１４に対応する部品リスト６のデータの全てをポップアップ表示する。
【００３０】
図１は、基板設計ＣＡＤ１１が、判定した結果に基づいて通常表示またはポップアップ表示を実行する動作を説明するための図である。尚、図１に示す表示前の判定は、部品の添字が干渉するかを判定する様子を説明するための図で、実際には表示することはない。      
【００３１】
また、基板設計ＣＡＤ１１において部品１４の配置を検証する場合に、図面中の所定領域を拡大したり、縮小したりする場合がある。このように図面を拡大／縮小する場合、基板設計ＣＡＤ１１は、所定領域を拡大／縮小表示する前に部品１４の添字が干渉するかを判断し、干渉しない場合は、通常表示する。この場合、所定領域を拡大／縮小する場合は、部品１４を示す添字としてリファレンス１５に加えて回路図４上の表示ページ、座標などを示す配置情報（添字、文字・記号情報に相当）１６を表示するようになっている。また、所定領域を拡大／縮小するにしても、部品１４の添字の大きさ（フォント）を変更することはない。従って、オペレータは、印刷された回路図４上の部品と容易に照らし合わせることができる。
【００３２】
拡大表示した場合に、部品１４の添字が干渉しない場合は、通常の拡大表示が行われる。つまり、部品１４の添字として、リファレンス１５と回路図４上の表示ページ、座標などの配置情報１６を表示する。この通常表示では、「通常」ボタン（切替手段に相当）１９と「Ｐｏｐｕｐ」ボタン（切替手段に相当）２０を表示しており、オペレータが後述するポップアップ表示を選択可能となっている。
【００３３】
これに対して、表示前の判定で部品の添字が干渉すると判断した場合（図１中に丸で囲んだ領域で示す）は、部品リスト６のデータの全てをポップアップ表示する。このポップアップ表示では、部品１４の添字としてはリファレンス１５のみを表示し、部品１４にカーソルが置かれた場合は、当該部品１４のデータの全てをポップアップ表示するようになっている。このポップアップ表示の表示内容としては、「リファレンス、部品概要、コメント等、型式、実装位置座標、配置面、回路図上の表示ページ、座標」である。
【００３４】
図１に示す例では、ＩＣ５にカーソルを置いた場合を示しており、ＩＣ５がバッファＩＣであり、型式はＴＣ７４ＨＣ１５１、プリント配線基板のＡ面における座標「５５．０５、６７．１５」に実装され、回路図４上の１／３０ページの座標Ｃ２に表示されることを示している。これにより、オペレータは、基板設計ＣＡＤ１１において部品の配置を検証するのに必要となる部品の情報を得ることができる。
【００３５】
図７は、上述の基板設計ＣＡＤ１１の動作を概略的に示すフローチャートである。この図７に示すように、実装図１２を表示する場合は、別の部品１４との文字の干渉有無を判断し、干渉がない場合は、通常表示を実行し、干渉がある場合は、ポップアップ表示を実行する。また、通常表示とポップアップ表示とは手動切替可能となっている。
【００３６】
従って、部品の故障、不具合や実装上の問題などが発生した場合は、基板設計ＣＡＤ１１により実装図１２を見るだけで、目的の部品が回路図上のどの位置にあるか把握できるため、回路図４上の部品位置を容易に探すことができ、部品が動作にどのような影響を与えるかを確認することができる。
【００３７】
一方、回路の機能確認や改修作業時は回路図４上で検討し、実基板上で目的の部品を探す場合がある。つまり、回路図４上の部品が実基板上のどこに実装されているか知りたい場合がある。
【００３８】
オペレータは、回路を検討する場合は、回路設計ＣＡＤ３に基板設計ＣＡＤ１１から出力されたマウントデータ１８を読込ませる。
回路設計ＣＡＤ３は、読込んだマウントデータ１８である「リファレンス」、「定数」、「部品概要、コメント等」、「型式、メーカー」、「実装位置座標、配置面」のうち「リファレンス」、「定数」及び「実装位置座標、配置面」を部品の添字として表示する。このとき、部品同士の添字が干渉する場合は、リファレンスのみを表示し、部品にカーソルが置かれた場合は、当該部品のデータの全てをポップアップ表示するようになっている。このポップアップ表示の表示内容としては、「リファレンス、定数、部品概要、コメント等、型式、メーカー、実装位置座標、配置面」である。
【００３９】
回路設計ＣＡＤ３において部品８の配置を検証する場合に、図面中の所定領域を拡大したり、縮小したりする場合がある。このように図面を拡大／縮小する場合、回路設計ＣＡＤ３は、所定領域を拡大／縮小表示する前に部品の添字が干渉するかを判断し、干渉しない場合は、通常表示する。この場合、所定領域を拡大／縮小する場合は、部品８を示す添字としてリファレンス９に加えて定数、実装位置座標、配置面を表示するようになっている。従って、オペレータは、印刷された実装図１２上の部品１４と容易に照らし合わせることができる。また、所定領域を拡大／縮小するにしても、部品８の添字の大きさ（フォント）を変更することはない。
【００４０】
図９は、回路設計ＣＡＤ３が、判定した結果に基づいて通常表示またはポップアップ表示を実行する動作を説明するための図である。尚、図９に示す表示前の判定は、部品８の添字が干渉するかを判定する様子を説明するための図で、実際には表示することはない。
図９に示すように、拡大表示した場合に、部品８の添字が干渉しない場合は、通常の拡大表示が行われる。つまり、部品８の添字として、リファレンス、定数、実装位置座標、配置面を表示する。この通常表示では、「通常」ボタン１９と「Ｐｏｐｕｐ」ボタン２０を表示しており、オペレータがポップアップ表示を選択可能となっている。
【００４１】
これに対して、表示前の判定で部品８の添字が干渉すると判断した場合（図９中に楕円で囲まれた領域で示す）は、マウントデータ１８のデータの全てをポップアップ表示する。このような回路設計ＣＡＤ３の動作のフローチャートは、図７に示す基板設計ＣＡＤ１１の動作と同一であるので、その説明を省略する。
以上のようにして、回路設計ＣＡＤ３において、基板設計ＣＡＤ１１から出力されたマウントデータ１８に基づいて表示される回路図４を確認しながら実基板上で回路の機能確認や改修作業を行う。
【００４２】
従って、部品実装密度の高いプリント配線基板やシルクレス基板や一部リファレンスシルクが入れられないため、省略している基板に対しても、回路設計者や実験、調査、計測を行なう人が、回路図４を見るだけで、目的の部品がプリント配線基板上のどの位置にあるか把握できるため、実装部品位置を容易に探すことができる。
【００４３】
このような実施例によれば、回路設計ＣＡＤ３及び基板設計ＣＡＤ１１において、ＣＡＤ図面を表示する場合に、部品の添字が他の部品の添字の表示と干渉しない場合は通常表示としてリファレンス及び部品を異なるＣＡＤ図面に表示する場合における配置位置を示す配置情報１０を表示し、干渉する場合はポップアップ表示としてリファレンスのみを表示すると共に、部品が指示されたときは部品のデータの全てをポップアップ表示するようにしたので、複数の部品からなるＣＡＤ図面を表示する場合に、部品を他のＣＡＤ図面に表示した場合における配置位置を容易に確認することが可能となり、回路設計ＣＡＤ及び基板設計ＣＡＤによる設計修正をスムーズに行うことができる。
【００４４】
また、通常表示した場合は、通常表示とポップアップ表示とを切替えるためのボタン１９，２０を表示し、それらに対する操作により通常表示とポップアップ表示とを任意に切替えるようにしたので、使用勝手に優れている。
さらに、汎用フォーマットで回路図４、実装図１２のデータを出力することによって、使用時の状況として想定される設計環境の整っていないパソコンを使用する場合でも、確認作業をスムーズに行うことができる。
【００４５】
（変形例）
本発明は、上記実施例に限定されることなく、次のように変形または拡張できる。
ポップアップ表示する表示内容としては、部品の配置情報のみであってもよいし、部品リスト６或いはマウントデータ１８から任意に選択可能としてもよい。
通常表示において、表示されていない残りの情報をポップアップ表示するようにしてもよい。
【図面の簡単な説明】
【００４６】
【図１】本発明の一実施例における回路設計ＣＡＤの表示判断動作を説明するための図
【図２】基板の製造工程を示す図
【図３】基板を製造する場合のデータの流れを示す図
【図４】回路図を示す図
【図５】実装図を示す図
【図６】部品リストを示す図
【図７】回路設計ＣＡＤの表示の判断動作を示すフローチャート
【図８】マウントデータを示す図
【図９】基板設計ＣＡＤの表示判断動作を示す図１相当図
【符号の説明】
【００４７】
図面中、１、２はコンピュータ、３は回路設計ＣＡＤ、４は回路図、６は部品リスト、８は部品、９はリファレンス（添字）、１０は配置情報（添字、文字・記号情報）、１１は基板設計ＣＡＤ、１２は実装図、１３はプリント配線基板、１４は部品、１５はリファレンス（添字）、１６は配置情報（添字、文字・記号情報）、１８はマウントデータ、１９は「通常」ボタン（切替手段）、２０は「Ｐｏｐｕｐ」ボタン（切替手段）である。
【図１】
2008310573.tif 000003
【図２】
2008310573.tif 000004
【図３】
2008310573.tif 000005
【図４】
2008310573.tif 000006
【図５】
2008310573.tif 000007
【図６】
2008310573.tif 000008
【図７】
2008310573.tif 000009
【図８】
2008310573.tif 000010
【図９】
2008310573.tif 000011